(57)【要約】【課題】記録ヘッドのメンテナンスを適切に行う。【解決手段】記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、前記ノズル面を視認可能な透光部材と、前記記録ヘッド、および、前記透光部材を収容する筐体と、を備え、前記記録ヘッドは、前記メディアに記録が実行される記録領域と、前記メディアの幅方向において前記記録領域以外の退避領域と、に移動可能であり、前記透光部材は、前記退避領域に設けられ、前記筐体を構成する一部分を取り外すことで、前記ノズル面と直交する直交方向において、前記透光部材を挟んで前記ノズル面を視認可能な構成である。【選択図】図５
2019155649.tif 000002
【特許請求の範囲】
【請求項１】
搬送方向に搬送されるメディアの裏面を支持する支持面を有する支持部と、
前記支持面に対向し、前記メディアの表面に液滴を吐出するための複数の孔を有するノズル面を有する記録ヘッドと、
前記ノズル面を視認可能な透光部材と、
前記記録ヘッド、および、前記透光部材を収容する筐体と、
を備え、
前記記録ヘッドは、前記メディアに記録が実行される記録領域と、前記搬送方向に交差する幅方向において前記記録領域以外の退避領域と、に移動可能であり、
前記透光部材は、前記退避領域に設けられ、
前記筐体を構成する一部分を取り外すことで、前記ノズル面と直交する直交方向において、前記透光部材を挟んで前記ノズル面を視認可能な構成であることを特徴とする記録装置。
【請求項２】
請求項１に記載の記録装置であって、
前記透光部材は、フレネルレンズであることを特徴とする記録装置。
【請求項３】
請求項２に記載の記録装置であって、
前記フレネルレンズが摺動可能なレールを有し、
前記レールは、前記幅方向に沿って設けられていることを特徴とする記録装置。
【発明の詳細な説明】
【技術分野】
【０００１】
本発明は、記録装置に関する。
【背景技術】
【０００２】
従来、キャリッジと当該キャリッジに搭載された記録ヘッド等を備えるインクジェットプリンターが知られている。当該インクジェットプリンターのホームポジションには、記録ヘッドに対してメンテナンスを行うメンテナンス機構が設けられている（例えば、特許文献１参照）。
【先行技術文献】
【特許文献】
【０００３】
【特許文献１】特開２００４−３２２４６７号公報
【発明の概要】
【発明が解決しようとする課題】
【０００４】
上記メンテナンス機構では、一般的に、フラッシングの他、記録ヘッドのノズル面に対してワイパーブレード等を用いて拭き取る動作も行われる。
ところで、ノズル面と直交する記録ヘッド側面部等に付着した汚れは、ワイパーブレード等を用いても十分に拭き取れない場合がある。この場合、記録ヘッドをホームポジションに移動させ、記録ヘッド等を収容する筐体を外して、作業者が記録ヘッド側面部に付着した汚れを拭き取る必要がある。しかしながら、このとき、作業者の手指が誤ってノズル面に接触してしまい、ノズル面を損傷させてしまったり、却って異物を付着させてしまい、記録ヘッドの性能の低下のおそれがあった。
なお、ノズル面への接触防止のために、記録ヘッドを覆う板金等を設置することも考えられる。しかし、この場合、作業者はノズル面を視認することが困難となり、記録ヘッド側面部等に付着した汚れを拭き取る際にノズル面に接触したり、異物を付着させてしまったことに気付くことができず、適切なメンテナンスができないという課題があった。
【課題を解決するための手段】
【０００５】
本願の記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、前記ノズル面を視認可能な透光部材と、前記記録ヘッド、および、前記透光部材を収容する筐体と、を備え、前記記録ヘッドは、前記メディアに記録が実行される記録領域と、前記搬送方向に交差する幅方向において前記記録領域以外の退避領域と、に移動可能であり、前記透光部材は、前記退避領域に設けられ、前記筐体を構成する一部分を取り外すことで、前記ノズル面と直交する直交方向において、前記透光部材を挟んで前記ノズル面を視認可能な構成であることを特徴とする。
【０００６】
上記の記録装置の前記透光部材は、フレネルレンズであることが好ましい。
【０００７】
上記の記録装置の前記フレネルレンズが摺動可能なレールを有し、前記レールは、前記幅方向に沿って設けられていることが好ましい。
【図面の簡単な説明】
【０００８】
【図１】プリンター（記録装置）の構成を示す斜視図。
【図２】プリンター（記録装置）の構成を示す側面図。
【図３】プリンター（記録装置）の構成を示す側面図。
【図４】プリンター（記録装置）の構成を示す概略図。
【図５】プリンター（記録装置）の構成を示す一部拡大図。
【図６】プリンター（記録装置）の構成を示す一部拡大図。
【発明を実施するための形態】
【０００９】
以下、本発明の実施形態について、図面を参照して説明する。なお、以下の各図においては、各部材等を認識可能な程度の大きさにするため、各部材等の尺度を実際とは異ならせて示している。
【００１０】
まず、記録装置の構成について説明する。なお、本実施形態では、記録装置としてのインクジェットプリンター（以下、プリンターという）を例にして説明する。尚、本実施形態にかかるプリンターは、例えば、Ａ３プラス（ノビ）サイズ以上のシート状の大判の被記録材（以下、単票紙ともいう）やＡ１プラス（ノビ）サイズやＢ０プラス（ノビ）サイズといったロール状の大判のメディアとしての被記録材Ｒ（ロール紙Ｒともいう）に対して記録を実行することができる大型のインクジェットプリンターである。
【００１１】
図１は、プリンターの構成を示す斜視図であり、図２は、プリンターの構成を示す側面図である。図３は、筐体を取り外した状態のプリンターの構成を示す側面図である。図４は、プリンターの構成を示す概略図である。
【００１２】
図１から図４に示すように、プリンター１００は、プリンター１００の主構成となるプリンター本体３を備えている。該プリンター本体３は、プリンター本体３を覆い隠すことのできる箱状の筐体２によって覆われている。また、上記プリンター本体３の後部寄りの上部にはロール紙Ｒを保持することのできるスピンドルと、一対のフランジ状のロール紙押さえによって構成されているロール紙ホルダー５が設けられている。また、プリンター本体３の前面の一例として左端寄りの部分には各色のインクカートリッジを個別に収容することができる複数のカートリッジスロットを備えたカートリッジホルダー８が設けられている。
【００１３】
また、プリンター１００の前面の一例として、右端寄りの部分には各種の操作指令を司る操作パネル９が適宜のブラケットによって支持されて設けられている。また、プリンター本体３には約６０°の前下がり傾斜姿勢で搬送案内板１１が設けられている。該搬送案内板１１は、ロール紙ホルダー５によって保持されているロール紙Ｒを該ロール紙Ｒの搬送方向Ａとなる前部下方に向けて案内している。搬送案内板１１の搬送方向上流位置には、図３に示すように、搬送案内板１１を一部取り除いて搬送用駆動ローラー１９と搬送用従動ローラー２０とによって構成されている搬送用ローラー２１が設けられている。そして、該搬送用ローラー２１によってロール紙ホルダー５から繰り出されたロール紙Ｒの先端Ｒｆは、搬送方向Ａにおいてロール紙ホルダー５よりも下流の記録ポジションとなるプラテン２８（支持部）側に導かれるようになっている。プラテン２８は、搬送されるロール紙Ｒの裏面を支持する支持面２８ａ（図４参照）を有している。
【００１４】
また、プラテン２８の支持面２８ａに対向し、ロール紙Ｒ表面の被記録面に向けて液体の一例であるインクを吐出させて記録を実行する記録ヘッド１３が設けられている。記録ヘッド１３は、複数の孔（ノズル）を有したノズル面１３ａを有している。なお、記録ヘッド１３のインクの吐出方式は、ピエゾ方式や、インクを加熱して発生した泡（バブル）によりインクを吐出させる方式等を用いることができる。記録ヘッド１３は上方に設けられるキャリッジ１０と一体になってガイドバー１８に倣って主走査方向となるプリンター本体３の幅方向（ロール紙Ｒの搬送方向に交差する方向、または、被記録材の幅方向）Ｂに往復移動できるようになっている。本実施形態では、記録ヘッド１３は水平面に対して傾斜した姿勢でロール紙Ｒ表面に対してインクを吐出する構成である。
【００１５】
また、図４に示すように、記録ヘッド１３は、幅方向Ｂにおいて、ロール紙Ｒに記録が実行される記録領域ＰＬと、ロール紙Ｒの搬送方向に交差する幅方向Ｂにおいて記録領域ＰＬより外側の退避領域ＮＰＬと、に移動可能である。なお、退避領域ＮＰＬは、記録領域ＰＬと同様に筐体２の内部に設けられている。
【００１６】
記録領域ＰＬは、記録が実行可能なプラテン２８を含む領域である。退避領域ＮＰＬは、幅方向Ｂにおいて記録領域ＰＬ以外の領域である。本実施形態では、記録領域ＰＬの幅方向Ｂの一方に第１退避領域ＮＰＬ１が設けられ、記録領域ＰＬの幅方向Ｂの他方に第２退避領域ＮＰＬ２が設けられている。第１退避領域ＮＰＬ１及び第２退避領域ＮＰＬ２は、記録ヘッド１３のメンテナンスが行われる領域である。
【００１７】
具体的には、第１退避領域ＮＰＬ１は、主に、記録ヘッド１３のノズル面１３ａの状態を視覚によって確認したり、ノズル面１３ａに直交する記録ヘッド１３の側面部等に付着した汚れを拭き取る等のメンテナンスを行う領域である。そして、第１退避領域ＮＰＬ１には、ノズル面１３ａを視認可能な透光部材７０が配置されている。なお、透光部材７０の構成等については後述する。
第２退避領域ＮＰＬ２には、メンテナンスユニット９０が設けられている。第２退避領域ＮＰＬ２は、メンテナンスユニット９０を用いて記録ヘッド１３に対して各種メンテナンスを行う領域である。メンテナンスユニット９０は、キャッピング部９１やワイピング部９２を備えている。キャッピング部９１は、キャップ部を備え、プリンター１００が稼動していない時に、記録ヘッド１３に対してキャップ部を密着させてキャッピングし、インクが乾燥してノズルが詰まるなどの不具合が生じないようにする。また、記録ヘッド１３は、キャッピング部９１と対向した状態でノズルからインクを吐出し、ノズルの吐出状態を良好な状態にするフラッシングを行うことも可能である。ワイピング部９２は、ワイパーを有し、フラッシングやキャッピング時にノズルやノズル面１３ａに付着したインク等をワイパーで拭い、ノズルの清浄な状態を維持する。
【００１８】
次に、第１退避領域ＮＰＬ１における透光部材７０の構成について説明する。
図５は、プリンターの構成を示す一部拡大図であり、第１退避領域ＮＰＬ１に記録ヘッドを移動させた状態を示す側面図である。図６は、プリンターの構成を示す一部拡大図であり、第１退避領域ＮＰＬ１に記録ヘッドを移動させた状態で、ノズル面を見た状態を示す図である。
【００１９】
図５に示すように、筐体２の内部の第１退避領域ＮＰＬ１には、ノズル面１３ａと直交する直交方向においてノズル面１３ａを視認可能な透光部材７０が設けられている。すなわち、記録ヘッド１３と透光部材７０は、筐体２に収容されている。さらに、詳細には、ノズル面１３ａと直交する直交方向であって、当該直交方向に交差する方向に板状の透光部材７０が設けられている。本実施形態では、ノズル面１３ａと透光部材７０の一面とが略平行に配置されている。本実施形態では、ノズル面１３ａと透光部材７０の一面との間隔は１０ｍｍ程度で設定される。なお、ノズル面１３ａと透光部材７０の一面との間隔は、作業者の指が入り込まない程度とすることが好ましい。
【００２０】
本実施形態の記録ヘッド１３は、図６に示すように、複数の記録ヘッド１３０（本実施形態では１２個）が搭載されたユニットである。複数の各記録ヘッド１３０には、複数のノズル（孔）を備えている。ここで、ノズル面１３ａとは、複数の記録ヘッド１３０が搭載された記録ヘッド１３の一面を指す。また、透光部材７０は、ノズル面１３ａをほぼ覆う大きさである。
【００２１】
透光部材７０は、透光性を有するプラスチック等の樹脂材料で形成されている。本実施形態における透光性を有するとは、光が通過する物質の性質において、物質を通してその向こう側が透けて見える程度の状態を含むものをいう。
【００２２】
また、本実施形態の透光部材７０は、フレネルレンズ（以下、透光部材としてのフレネルレンズ７０と表記する）である。フレネルレンズ７０は、透光性を有するプラスチック材料に対して同心円状の溝７０ａを複数形成した板状のレンズである。本実施形態では、フレネルレンズ７０を、ノズル面１３ａを拡大して見る拡大鏡として用いている。これにより、ノズル面１３ａに対する視認性を向上させることができる。また、フレネルレンズ７０としたことにより、薄型化及び軽量化が図られる。
なお、図６では、フレネルレンズ７０の構成の説明を容易にするための図であり、ノズル面１３ａを拡大して表示していない。
【００２３】
また、フレネルレンズ７０は、筐体２の内部に設けられたレール７５に摺動可能に設けられている。
具体的には、プリンター本体３を構成するフレーム部分に一対のレール７５が幅方向Ｂに沿って設けられている。当該レールには、溝部７５ａがレール７５の長手方向に沿って形成されている。
そして、フレネルレンズ７０の幅方向Ｂとは交差する方向の両端部が、溝部７５ａに嵌め込まれている。なお、一対のレール７５の幅方向Ｂにおける長さは、フレネルレンズ７０の幅方向Ｂにおける長さよりも長い。
これにより、フレネルレンズ７０を幅方向Ｂに押すことにより、フレネルレンズ７０をレール７５に倣って幅方向Ｂに移動させることができる。フレネルレンズ７０は、その特性上、外縁部ほど像が歪みやすくなるが、幅方向Ｂに沿ってフレネルレンズ７０を移動させることが可能となり、作業者はフレネルレンズを最適な位置まで移動させることでノズル面１３ａの視認性を確保することができる。
【００２４】
また、本実施形態の透光部材７０は導光板としての機能を備えていてもよい。この場合、幅方向Ｂの両端部にＬＥＤ（Ｌｉｇｈｔ  Ｅｍｍｉｔｉｎｇ  Ｄｉｏｄｅ）等の発光素子が設けられていることが好ましい。ＬＥＤから出射された光が、幅方向Ｂにおいて導光板に入射すると、該入射した光がノズル面１３ａと直交する直交方向に出射される。これにより、ノズル面１３ａを視認する際の明るさが向上し、視認性を確保することができる。なお、導光板７０の表面をレンズ加工することによって導光板７０とフレネルレンズ７０とを一体化したり、導光板７０とフレネルレンズ７０とをそれぞれ別体で構成し、導光板７０とフレネルレンズ７０とを重ねて一つの光学系を構成したりしてもよい。また、透光部材７０を導光板とすることで、点状の発光素子を直接用いる場合と比べて、当該直交方向に出射される光がノズル面１３ａと平行な面において均一化できる。これにより、ノズル面１３ａの視認性を更に向上できる。また、導光板７０を用いずに直接発光素子でノズル面１３ａを照らす場合、ノズル面１３ａを発光素子によって均一に照らすために発光素子を複数設けなければならない。これは、単一の発光素子によって照らすことができる範囲が発光素子の形状やサイズに依存するだけでなく、複数の発光素子の特性ばらつきに起因する誤差を緩和するために複数の発光素子が必要だからである。これに対し、透光部材７０を導光板７０とすることで、発光素子の個数が少なくても、当該直交方向に出射される光をノズル面１３ａと平行な面において均一化することができる。これにより、発光素子の増加に起因するコストアップを低減することができる。
【００２５】
ここで、第１退避領域ＮＰＬ１における記録ヘッド１３のメンテナンス方法について説明する。
まず、第１退避領域ＮＰＬ１において記録ヘッド１３のメンテナンスを行う場合には、記録ヘッド１３を第１退避領域ＮＰＬ１に移動させる。そして、筐体２を構成する一部分２ａ（例えば、筐体２の背面部分（図５参照））を取り外す。これにより、プリンター１００の背面側から記録ヘッド１３を視認可能な開口が出現する。ただし、記録ヘッド１３のノズル面１３ａは、図６に示すように、フレネルレンズ７０を挟んで視認可能な構成である。
そして、作業者は記録ヘッド１３の側面部等に付着した汚れを拭き取る。この際、フレネルレンズ７０がノズル面１３ａの保護カバーとして機能する。すなわち、汚れを拭き取る際、作業者が誤ってノズル面１３ａに接触することを防止することができる。これにより、ノズル面１３ａやノズルの損傷、ノズル面１３ａへの異物付着を防止することができる。また、作業者が接触することを防止するだけではなく、筐体２を構成する一部分２ａを取り外した際に、筐体２の外側から入り込む異物等が、ノズル面１３ａに付着することも、フレネルレンズ７０は防止することができる。
【００２６】
また、フレネルレンズ７０を配置したため、ノズル面１３ａを拡大して見ることが可能となる。従って、ノズル面１３ａの状態を詳細に確認することができる。また、ノズル面１３ａを確認しながら記録ヘッド１３の側面部等に付着した汚れを拭き取ることが可能となり、ノズル面１３ａに接触する前に作業者が気付くことができたり、誤って異物を付着させてしまったりしたことに気付くことができる。
【００２７】
なお、フレネルレンズ７０は、その特性上、中央部に対して外縁部ほど像が歪みやすくなる。従って、図６に示すように、フレネルレンズ７０の中央部がノズル面１３ａの中央部に対応する場合、ノズル面１３ａの中央部は、視認性が高い状態で拡大される。一方、ノズル面１３ａの幅方向Ｂの端部の部分は、ノズル面１３ａの中央部に比べ、視認性が低下する。この場合、フレネルレンズ７０を幅方向Ｂのうち一方向に押してフレネルレンズ７０を移動させ、ノズル面１３ａの幅方向Ｂの端部の部分にフレネルレンズ７０の中央部を対応させる。これにより、ノズル面１３ａの幅方向Ｂの端部の部分の視認性を高めることができる。すなわち、ノズル面１３ａの所望する位置に対してフレネルレンズ７０の中央部を対応させればよい。
【００２８】
また、例えば、ノズル面１３ａに付着した汚れを拭き取るために、作業者が意図的にノズル面１３ａに接触する必要性が発生した場合には、ノズル面１３ａの必要部分が露呈するまで、フレネルレンズ７０をレール７５に沿って移動させる。これにより、作業者は、容易にノズル面１３ａに接触することができる。なお、レール７５の溝部７５ａをレール７５の両端部まで形成することで、フレネルレンズ７０を幅方向Ｂに押してレール７５からフレネルレンズ７０を取り外し可能に構成にしてもよい。
【００２９】
以上、本実施形態によれば、以下の効果を得ることができる。
【００３０】
第１退避領域ＮＰＬ１では、ノズル面１３ａに対向する位置にフレネルレンズ７０が配置される。これにより、記録ヘッド１３のメンテナンスにおいて、作業者が誤ってノズル面１３ａに接触してしまうことを防止することができる。よって、ノズル面１３ａの損傷や異物付着を防止することができる。
また、ノズル面１３ａはフレネルレンズ７０を介してノズル面１３ａを拡大した状態で視認可能となり、ノズル面１３ａの詳細な状態を確認することができる。また、ノズル面１３ａを確認しながら記録ヘッド１３の側面部等に付着した汚れを拭き取ることが可能となり、ノズル面１３ａに接触する前に作業者が気付くことができたり、誤って異物を付着させてしまったりしたことに気付くことができたりするため、適切なメンテナンスを行うことができる。
【００３１】
なお、本発明は上述した実施形態に限定されず、上述した実施形態に種々の変更や改良等を加えることが可能である。変形例を以下に述べる。
【００３２】
（変形例１）上記実施形態では、記録領域ＰＬの幅方向Ｂの両側のそれぞれに第１退避領域ＮＰＬ１と第２退避領域ＮＰＬ２を設けたが、これ限定されない。記録領域ＰＬの幅方向Ｂの一方側に第１退避領域ＮＰＬ１及び第２退避領域ＮＰＬ２を備えてもよい。すなわち、退避領域を一か所にしてもよい。このようにしても、上記同様の効果を得ることが出来る。
【００３３】
（変形例２）上記実施形態では、フレネルレンズ７０は、幅方向Ｂに沿って移動可能に構成したが、これに限定されない。例えば、ロール紙Ｒの搬送方向Ａに沿って移動可能に構成してもよい。この場合、搬送方向Ａに沿ってフレネルレンズ７０の移動が可能にレールを配置すればよい。記録ヘッド１３が水平方向に傾斜した状態で配置されているため、記録ヘッド１３の上端部に異物が付着する傾向があるが、本変形例によれば、搬送方向Ａに沿ってフレネルレンズ７０を移動させることで、記録ヘッド１３の上端部を確認しやすくなり、記録ヘッド１３の上端部に付着した異物を早期に除去することができる。
なお、フレネルレンズ７０を、搬送方向Ａ及び幅方向Ｂに移動可能に構成してもよい。
【００３４】
（変形例３）上記実施形態では、拡大鏡としてフレネルレンズ７０を適用したが、これに限定されない。各種レンズを適用することができる。このようにしても、ノズル面１３ａの視認性を高めることができる。
【００３５】
（変形例４）上記実施形態では、レール７５にフレネルレンズ７０を配置したが、これに限定されない。例えば、プリンター本体３を構成するフレーム部分にネジ止め等によりフレネルレンズ７０（透光部材）を固定してもよい。なお、フレネルレンズ７０を取り外す場合は、ネジ止めを解除すればよい。また、プリンター本体３を構成するフレーム部分とスナップフィット等により材料の弾性を利用した嵌め込みによって着脱可能に構成してもよい。
【００３６】
（変形例５）上記実施形態においては、記録装置としてインクを吐出するプリンターについて説明したが、インク以外の液体（液滴）を吐出（もしくは噴射）する形態であってもよい。例えば、液晶ディスプレイ、有機ＥＬ（エレクトロルミネッセンス）ディスプレイ、面発光ディスプレイ、カラーフィルターの製造などに用いられる電極材や色材などの材料を分散又は溶解の形で含有する液体（機能液）を吐出するプリンターであってもよい。
【００３７】
なお、液体を吐出させる構成として、液体が粒状の状態で飛行するように液体を吐出させる構成や、液体を涙状の状態で飛行するように液体を吐出させる構成、液体が糸状に尾を引いた状態で飛行するように液体を吐出させる構成等が想定される。
【００３８】
また、液体としては、記録装置が吐出させることができるような液状の材料であればよい。例えば、粘性の高い又は低い液状体、ゾル、ゲル水、その他の無機溶剤、有機溶剤、溶液、液状樹脂、液状金属（金属融液）のような流動可能な状態のもの、また物質の一状態としての液体のみならず、顔料や金属粒子などの固形物からなる機能材料の粒子が溶媒に溶解、分散又は混合されたもの等を想定している。
【００３９】
以下に、実施形態から導き出される内容を記載する。
【００４０】
記録装置は、搬送方向に搬送されるメディアの裏面を支持する支持面を有する支持部と、前記支持面に対向し、前記メディアの表面に液滴を吐出するための複数の孔を有するノズル面を有する記録ヘッドと、前記ノズル面を視認可能な透光部材と、前記記録ヘッド、および、前記透光部材を収容する筐体と、を備え、前記記録ヘッドは、前記メディアに記録が実行される記録領域と、前記搬送方向に交差する幅方向において前記記録領域以外の退避領域と、に移動可能であり、前記透光部材は、前記退避領域に設けられ、前記筐体を構成する一部分を取り外すことで、前記ノズル面と直交する直交方向において、前記透光部材を挟んで前記ノズル面を視認可能な構成であることを特徴とする。
【００４１】
この構成によれば、筐体内の退避領域において、ノズル面と直交する直交方向において透光部材が設けられている。すなわち、記録ヘッドのメンテナンスを行う場合において、退避領域に記録ヘッドを移動させ、筐体を外した際、記録ヘッドのノズル面と透光部材とが対向した状態となる。換言すれば、筐体を外した際、記録ヘッドのノズル面が露出することはない。これにより、例えば、記録ヘッドの側面部等に付着した汚れを拭き取る際に、ノズル面への接触が抑制され、ノズル面の孔の損傷や異物付着を防止することができる。さらに、ノズル面は透光部材を介して視認可能となるため、ノズル面を確認しながら記録ヘッドの側面部等に付着した汚れを拭き取ることが可能となり、ノズル面に接触する前に作業者が気付くことができたり、誤って異物を付着させてしまったりしたことに気付くことができたりするため、適切なメンテナンスを行うことができる。
【００４２】
上記の記録装置の前記透光部材は、フレネルレンズであることが好ましい。
【００４３】
この構成によれば、フレネルレンズを介してノズル面を拡大して視認できるため、メンテナンス時の視認性を向上させることができる。また、透光部材を薄型化・軽量化することができる。
【００４４】
上記の記録装置は、前記フレネルレンズが摺動可能なレールを有し、前記レールは、前記幅方向に沿って設けられていることが好ましい。
【００４５】
フレネルレンズの特性上、外縁部ほど像が歪みやすくなるが、上記構成によれば、幅方向に沿ってフレネルレンズを移動させることが可能となり、作業者はフレネルレンズを最適な位置まで移動させて視認性を確保することができる。
【符号の説明】
【００４６】
２…筐体、２ａ…一部分（筐体）、３…プリンター本体、１０…キャリッジ、１１…搬送案内板、１３，１３０…記録ヘッド、１３ａ…ノズル面、１８…ガイドバー、２８…プラテン（支持部）、２８ａ…支持面、７０…フレネルレンズ（透光部材、導光板）、７５…レール、７５ａ…溝部、９０…メンテナンスユニット、１００…プリンター（記録装置）、ＰＬ…記録領域、ＮＰＬ１…第１退避領域、ＮＰＬ２…第２退避領域。
【図１】
2019155649.tif 000003
【図２】
2019155649.tif 000004
【図３】
2019155649.tif 000005
【図４】
2019155649.tif 000006
【図５】
2019155649.tif 000007
【図６】
2019155649.tif 000008